(57)【要約】【課題】画像データに基づいて形成される画像の作成形式に応じた補正量で発光素子の駆動電圧を補正することができる発光素子駆動装置、画像形成装置、及び発光素子駆動制御プログラムを提供する。【解決手段】設定された作像モード単位毎に、作像モード決定部３８が画像データに基づいて作像モードを決定し、オフセット量出力部４０が決定された作像モードに対応するオフセット量を記憶部４２から取得し、ＬＤ２０の駆動電圧を補正する補正回路５０に出力する。補正回路５０では、トランジスタ６２のゲートに印加されたオフセット電圧に応じた電流Ｉｃｉｎがドレインから出力され、抵抗６４で電流電圧変換された電圧値により駆動電圧が補正される。【選択図】図２
2010125644.tif 000002
【特許請求の範囲】
【請求項１】
画像データに基づいて発光する発光素子を電圧駆動するための駆動電圧を保持する保持手段と、
前記電圧駆動された前記発光素子を電流駆動するための駆動電流を保持する駆動電流保持手段と、
前記保持手段で保持された駆動電圧を、補正信号に基づいて補正する補正手段と、
前記画像データに基づいて設定された画像作成形式に対応する前記補正信号を前記補正手段に出力する出力手段と、
を備えた発光素子駆動装置。
【請求項２】
前記出力手段は、１頁単位、全ページ単位、及び１頁に含まれる画像単位のいずれかで、前記画像作成形式に対応する前記補正信号を前記補正手段に出力する、
請求項１に記載の発光素子駆動装置。
【請求項３】
前記画像作成形式を設定する単位が、１頁分の前記画像データ毎、全ページ分の前記画像データ毎、または１頁分の前記画像データに含まれる画像毎のいずれであるかを設定するための単位設定手段をさらに備えた、
請求項２に記載の発光素子駆動装置。
【請求項４】
前記出力手段は、複数の前記発光素子毎に前記補正信号を出力する、
請求項１から請求項３のいずれか１項に記載の発光素子駆動装置。
【請求項５】
前記画像作成形式を設定するための画像作成形式設定手段をさらに備え、
前記出力手段は、前記画像作成形式設定手段で設定された前記画像作成形式に対応する前記補正信号を前記補正手段に出力する、
請求項１から請求項４のいずれか１項に記載の発光素子駆動装置。
【請求項６】
前記画像作成形式に対応する前記補正信号を記憶する記憶手段をさらに備え、
前記出力手段は、前記記憶手段に記憶されている、前記画像データに基づく前記画像作成形式に対応する前記補正信号を前記記憶手段から読み出して前記補正手段に出力する、
請求項１から請求項５のいずれか１項に記載の発光素子駆動装置。
【請求項７】
請求項１から請求項６のいずれか１項に記載の発光素子駆動装置と、
前記発光素子駆動装置によって画像データに基づいて発光するよう駆動される発光素子と、
前記発光素子により発光された画像データに基づく光により記録媒体上に画像を形成する画像形成手段と、
を備えた画像形成装置。
【請求項８】
コンピュータシステムを、請求項１から請求項６のいずれか１項に記載の発光素子駆動装置を構成する前記出力手段として機能させるための発光素子駆動制御プログラム。
【発明の詳細な説明】
【技術分野】
【０００１】
本発明は、発光素子駆動装置、画像形成装置、及び発光素子駆動制御プログラムに関する。
【背景技術】
【０００２】
特許文献１には、発光素子を電圧駆動する電圧源に、外部からの基準オフセットに基づいて駆動電圧を補正する補正回路を設ける技術が記載されている。
【特許文献１】特開２００５−０６３９９７号公報
【発明の開示】
【発明が解決しようとする課題】
【０００３】
本発明は、画像データに基づいて形成される画像の作成形式に応じた補正量で発光素子の駆動電圧を補正することができる発光素子駆動装置、画像形成装置、及び発光素子駆動制御プログラムを提供することを目的とする。
【課題を解決するための手段】
【０００４】
上記目的を達成するために、請求項１に記載の発光素子駆動装置は、画像データに基づいて発光する発光素子を電圧駆動するための駆動電圧を保持する保持手段と、  前記電圧駆動された前記発光素子を電流駆動するための駆動電流を保持する駆動電流保持手段と、前記保持手段で保持された駆動電圧を、補正信号に基づいて補正する補正手段と、前記画像データに基づいて設定された画像作成形式に対応する前記補正信号を前記補正手段に出力する出力手段と、を備える。
【０００５】
請求項２に記載の発光素子駆動装置は、請求項１に記載の発光素子駆動装置において、前記出力手段は、１頁単位、全ページ単位、及び１頁に含まれる画像単位のいずれかで、前記画像作成形式に対応する前記補正信号を前記補正手段に出力する。
【０００６】
請求項３に記載の発光素子駆動装置は、請求項２に記載の発光素子駆動装置において、前記画像作成形式を設定する単位が、１頁分の前記画像データ毎、全ページ分の前記画像データ毎、または１頁分の前記画像データに含まれる画像毎のいずれであるかを設定するための単位設定手段をさらに備えた。
【０００７】
請求項４に記載の発光素子駆動装置は、請求項１から請求項３のいずれか１項に記載の発光素子駆動装置において、前記出力手段は、複数の前記発光素子毎に前記補正信号を出力する。
【０００８】
請求項５の発光素子駆動装置は、請求項１から請求項４のいずれか１項に記載の発光素子駆動装置において、前記画像作成形式を設定するための画像作成形式設定手段をさらに備え、前記出力手段は、前記画像作成形式設定手段で設定された前記画像作成形式に対応する前記補正信号を前記補正手段に出力する。
【０００９】
請求項６の発光素子駆動装置は、請求項１から請求項５のいずれか１項に記載の発光素子駆動装置において、前記画像作成形式に対応する前記補正信号を記憶する記憶手段をさらに備え、前記出力手段は、前記記憶手段に記憶されている、前記画像データに基づく前記画像作成形式に対応する前記補正信号を前記記憶手段から読み出して前記補正手段に出力する。
【００１０】
請求項７に記載の画像形成装置は、請求項１から請求項６のいずれか１項に記載の発光素子駆動装置と、前記発光素子駆動装置によって画像データに基づいて発光するよう駆動される発光素子と、前記発光素子により発光された画像データに基づく光により記録媒体上に画像を形成する画像形成手段と、を備える。
【００１１】
請求項８に記載の発光素子駆動制御プログラムは、コンピュータシステムを、請求項１から請求項６のいずれか１項に記載の発光素子駆動装置を構成する前記出力手段として機能させるためのものである。
【発明の効果】
【００１２】
請求項１、７、及び８に記載の本発明によれば、画像データに基づいて形成される画像の作成形式に応じた補正量で発光素子の駆動電圧を補正することができる、という効果が得られる。
【００１３】
請求項２に記載の本発明によれば、画像形成を行う１文書中の画像作成形式が単一の場合でも、混在している場合でも、適正な補正量で発光素子の駆動電圧を補正することができる、という効果が得られる。
【００１４】
請求項３に記載の本発明によれば、ユーザが画像作成形式の設定を行えるようになる、という効果が得られる。
【００１５】
請求項４に記載の本発明によれば、本構成を有しない場合に比較して、形成される画像のエッジ部分が綺麗になる、という効果が得られる。
【００１６】
請求項５に記載の本発明によれば、ユーザが画像作成形式の設定を行えるようになる、という効果が得られる。
【００１７】
請求項６に記載の本発明によれば、本構成を有しない場合に比較して、処理速度が早くなる、という効果が得られる。
【発明を実施するための最良の形態】
【００１８】
［第１の実施の形態］
以下、図面を参照して本発明の実施の形態を詳細に説明する。
【００１９】
本実施の形態の画像形成装置は具体的一例として、レーザ駆動装置が画像データに基づいて発光するようにレーザ光源を駆動し、光走査装置が、レーザ光源より照射された光により感光体上に静電潜像を形成し、当該静電潜像を現像してトナー像を形成し、転写用停電体を介して用紙に転写されたトナー像を定着させることにより画像を形成するものである。なお、本実施の形態で画像とは、画像と文字を総称して言う。
【００２０】
図１は、本実施の形態に係る画像形成装置のレーザ駆動装置及び光走査装置に関する概略構成の一例を示す概略図である。
【００２１】
本実施の形態の光走査装置１４は、レーザを出射するためのレーザ光源２０、レーザ光源２０から出射されたレーザを拡散光線から平行光線に変換するためのコリメータレンズ２２、シリンダレンズ２３、感光体１６にレーザを照射する走査手段である回転多面鏡（ポリゴンミラー）２４、レーザの走査速度を制御するためのｆθレンズ２６、レーザを感光体１６方向に反射させる反射ミラー２７、ミラー２８、及びフォトディテクタ２９を備えて構成されている。
【００２２】
本実施の形態のレーザ光源２０は、一例として面発光レーザであり、複数のレーザダイオード（ＬＤ）２０を含んで構成されている。ＬＤ２０から出射されたレーザは、コリメータレンズ２２により拡散光線から平行光線に変換され、シリンダレンズ２３を介して回転多面鏡２４に入射される。回転多面鏡２４は、側面に複数の反射面２４Ａが設けられた正多角形状（一例として、本実施の形態では六角形）に形成されており、入射されたレーザは反射面２４Ａに収束するようになっている。また、回転多面鏡２４は、回転軸２５を中心に矢印Ｂ方向に回転する。すなわち、各反射面２４Ａへのレーザの入射角は、連続的に変化し、偏向される。これにより、感光体１６の軸線方向に走査して、レーザが感光体１６に照射される。
【００２３】
回転多面鏡２４により反射されたレーザの進行方向には、第１レンズ２６Ａ及び第２レンズ２６Ｂから構成されているｆθレンズ２６が配置されている。このｆθレンズ２６により、感光体１６にレーザを照射するときの走査速度が制御されるとともに、感光体１６の周面上に結像点を結ぶ。ｆθレンズ２６を透過したレーザは、反射ミラー２７により屈曲されて感光体１６へ照射される。
【００２４】
感光体１６の左端方向に進行するレーザは、ミラー２８により反射されて、フォトディテクタ２９へ入射される。感光体１６を感光体１６の軸線方向に走査する毎に、感光体１６の左端方向に進行するレーザが入射されるため、フォトディテクタ２９は、光走査装置１４による感光体１６へのライン毎のレーザ照射開始タイミングを検知することができるようになっている。
【００２５】
レーザ駆動装置１２は、画像データ及びフォトディテクタ２９からの検知信号に基づいてＬＤ２０が発光するように制御したり、ＬＤ２０の駆動電圧（発光光量）を制御したりするものである。
【００２６】
本実施の形態のレーザ駆動装置１２において、ＬＤ２０の駆動電圧の制御に関する概略構成の一例を示す機能ブロック図を図２に示す。
【００２７】
本実施の形態のレーザ駆動装置１２は、ＣＰＵ３０、ＲＯＭ３２、ＲＡＭ３６、作像モード決定部３８、オフセット量出力部４０、記憶部４２、Ｉ／Ｆ（インターフェイス）４４、ユーザＩ／Ｆ（インターフェイス）４６、及びｎ個の駆動部４８（駆動部４８１〜４８ｎ）を備えて構成されている。
【００２８】
ＣＰＵ３０は、レーザ駆動装置１２の全体を制御するためのものである。本実施の形態では、ＣＰＵ３０は、制御プログラム３４を実行することにより、ＬＤ２０の駆動電圧の補正を制御（オフセット量を制御、詳細後述）を行う。制御プログラム３４は、記録媒体としてのＲＯＭ３２に記憶されている。なお、制御プログラム３４は、ＣＤ−ＲＯＭ（図示省略）やＤＶＤ−ＲＯＭ（図示省略）、リムーバブルディスク（図示省略）等の記録媒体に記憶しておき、記憶部４２等にインストールし、ＣＰＵ３０により読み込まれて実行されるようにしてもよい。ＲＯＭ３２には、制御プログラム３４等の各種プログラムやパラメータが記憶されている。ＲＡＭ３６は、ＣＰＵ３０による制御プログラム３４の実行時におけるワークエリア等として用いられる。
【００２９】
作像モード決定部３８は、Ｉ／Ｆ４４等を介して入力された画像データに基づいて作像モード（画像作成形式）を決定するためのものである。なお、本実施の形態では、作像モードは、全ページの画像データを含む印刷ジョブ毎、各頁の画像データ毎、及び各頁に含まれる画像毎に決定される（詳細後述）。
【００３０】
オフセット量出力部４０は、作像モード決定部で決定した作像モードに対応するオフセット量（駆動電圧の補正量）を記憶部４２から取得し、駆動部４８の補正回路５０に出力するためのものである。なお、本実施の形態の画像形成装置１０は、ＬＤ２０を複数備えており、オフセット量出力部４０は、複数のＬＤ２０各々の補正回路５０に対し、作像モードに対応するオフセット量を出力する。即ち、同時タイミングで発光する複数のＬＤ２０の作像モードが１つでない場合は、それぞれに対応するオフセット量が出力されるため、異なるオフセット量が同時タイミングで出力される。
【００３１】
記憶部４２は、画像データと作像モードの対応関係及び作像モードとオフセット量との対応関係を記憶しているものである。
【００３２】
Ｉ／Ｆ４４は、外部装置（図示省略）やネットワーク（図示省略）等と接続するためのものである。Ｉ／Ｆ４４を介して画像データ等が入力される。
【００３３】
ユーザＩ／Ｆ４６は、作像モードに関する情報等をユーザと授受するためのものであり、具体的例としては、液晶ディスプレイやタッチパネル、キーボード等が挙げられる。
【００３４】
駆動部４８１〜ｎ（ｎ＝光走査装置１４に備えられているＬＤの数）は、各々ＬＤ２０１〜ｎを駆動するためのものである。駆動部４８１〜ｎは、補正回路５０１〜ｎ及び電圧源５２１〜ｎを含んで構成されている。なお、個々を区別せずに説明する場合は、それぞれ駆動部４８、補正回路５０、電圧源５２、及びＬＤ２０と総称し、区別する場合は１〜ｎの符号を付して称する。電圧源５２は、画像データに基づいて駆動電圧を印加することによりＬＤ２０の発光を制御するためのものである。補正回路５０は、オフセット量出力部４６により出力されたオフセット量に基づいて、電圧源５２がＬＤ２０に印加する駆動電圧を補正するためのものである。
【００３５】
ＣＰＵ３０、ＲＯＭ３２、ＲＡＭ３６、作像モード決定部３８、オフセット量出力部４０、記憶部４２、Ｉ／Ｆ（インターフェイス）４４、ユーザＩ／Ｆ（インターフェイス）４６、及び駆動部４８は、コントロールバスやデータバス等のバス５４を介して互いに情報などの授受が可能に接続されている。
【００３６】
次に、図３を参照して、本実施の形態に係る駆動部４８について詳細に説明する。図３は、駆動部４８の概略構成の一例を示す回路図である。
【００３７】
駆動部４８は、補正回路５０、電圧源５２、スイッチ（ＳＷ）６８、電流源７０、スイッチ（ＳＷ７２）を含んで構成されている。
【００３８】
補正回路５０は、電流源６０、トランジスタ６２、及び抵抗６４を含んで構成されている。トランジスタ６２は、ソースが電流源６０に、ドレインが抵抗６４に接続されており、ゲートにはオフセット量出力部４０で出力されたオフセット量に応じた電圧が印加される。
【００３９】
電圧源５２は、Ｓ／Ｈ（サンプルホールド）コンデンサ６６を含んで構成されている。Ｓ／Ｈコンデンサ６６は、一般的なＳ／Ｈコンデンサ（Ｓ／Ｈ回路）であり、一方が補正回路５０の抵抗６４に接続され、他方がＳＷ６８に接続されている。ＳＷ６８に接続されている側には、一定のアナログ設定値が入力される。
【００４０】
ＬＤ２０は、ＳＷ７２がオン状態になり、電流源７０からＬＤ２０に駆動電流が供給されることにより点灯する。
【００４１】
ＬＤ２０を電流駆動のみ行う場合は、シリーズ抵抗の高い面発光レーザでは、電流波形の立ち上がりが遅くなる。そのため、駆動開始時に電圧駆動を行うことにより、変調速度を速くする。本実施の形態では、理想的なＣｉｎ特性を得るために、駆動開始の電圧駆動時のみ駆動電圧のオフセット調整を行う。なお、ＬＤ２０を電圧駆動のみ行うと基準光量も変化してしまい、好ましくない。本実施の形態では、駆動開始のみ電圧駆動のオフセット調整を行い、電圧駆動の後に電流駆動を行う。
【００４２】
通常動作時（本実施形態の作像モードに応じた補正不実施時）には、一般に、ＬＤ２０の自動光量制御（ＡＰＣ）が行われる。自動光量制御は、図示を省略したフォトダイオードにより、ＬＤ２０の発光光量をモニタし、フォトダイオードより出力されるモニタ電流に対応した光出力電圧が基準電圧と一致するように制御を行うことにより、電流源７０から出力される駆動電流を制御する。これにより、ＬＤ２０の発光光量が目的の光量になるように制御される。
【００４３】
本実施の形態の作像モードに応じた補正を行わない場合（オフセット調整無）は、例えば、トランジスタ６２のゲートに印加する電圧を閾値未満とし、ゲートをオフ状態にしたり、トランジスタ６２のドレインと抵抗６４との間にスイッチを設け（図示省略）、当該スイッチをオフ状態にしたりする。
【００４４】
本実施の形態の作像モードに応じてＬＤ２０の発光光量を補正する場合（オフセット調整有）は、ＳＷ６８がオン状態になる。トランジスタ６２のゲートに作像モードに応じたオフセット電圧が印加され、トランジスタ６２のドレインからは、印加されたオフセット電圧に基づいて生成された電流Ｉｃｉｎが出力される。電流Ｉｃｉｎは、抵抗６４で電流電圧変換される。このとき、Ｓ／Ｈコンデンサ６６の抵抗６４側の端子電圧は、電流Ｉｃｉｎの電流値が０の場合（オフセット調整無の場合）の電圧値と比較すると、Ｉｃｉｎ×抵抗６４の抵抗値、に相当する電圧値分だけ増加する。電圧源５２から出力される駆動電圧は、Ｉｃｉｎ×抵抗６４の抵抗値、に相当する値分、プラス側に補正される。
【００４５】
オフセット調整無の場合、オフセット調整有の場合、及び理想的な場合のパルス幅−積分光量特性（Ｃｉｎ特性）を図４に示す。ＬＤ２０のパルス特性は予め定められているため、Ｃｉｎ特性は理想的には、図４に示したような理想直線（パルス幅とＬＤ２０の積分光量とが原点を通る比例関係を示す直線）となる。オフセット調整無の場合に比べオフセット調整有の場合の方が、理想的なＣｉｎ特性が安定して得られる。
【００４６】
また、トランジスタ６２のゲートに印加されるオフセット電圧の値に基づいて、電流Ｉｃｉｎの電流値は変化する。印加されるオフセット電圧とドレインから出力される電流Ｉｃｉｎの電流値との関係はトランジスタ６２の相互コンダクタンスに依存し、オフセット電圧に応じ、Iｃｉｎを制御する。
【００４７】
駆動電流波形の具体的一例を図５に示す。駆動電流波形は、ａ×ｂの矩形波が理想的である。そのため、駆動電流波形の面積（積分値）がａ×ｂの矩形波に近付くように、オフセット調整を行う。本実施の形態では、作像モードとして、高精細モード及び文字モードの２つのモードがある。高精細モードは、地図や写真、グラフィック等の細かい、線の細い画像等を鮮明に形成する場合に適したモードである。文字モードは、文字を形成する場合に適したモードである。例えば、高精細モードであると細線が太くなりすぎ、オフセット調整無だと線がかすれてしまう場合等に適している。より具体的な一例としては、高精細モード及び文字モードの駆動電流波形は図５に示すような波形が挙げられる。この場合、高精細モードの方が文字モードよりもオフセット電圧が大きい。本実施の形態では、このようにオフセット電圧が作像モード毎に予め定められている。
【００４８】
次に、本実施の形態に係るレーザ駆動装置で実行される、駆動電圧の補正に関するレーザ駆動制御処理について詳細に説明する。図６は、本実施の形態のレーザ駆動制御処理の一例を示すフローチャートである。なお、本実施の形態では、ユーザの設定が無い場合は地図及び写真等のグラフィックは高精細モード、文字は文字モードとする。
【００４９】
図６の処理は、画像形成装置１０に印刷の指示が入力された場合や、画像データ入力された場合等に実行される。
【００５０】
まずステップ１００では、作像モードのユーザ設定が有るか否か判断する。ユーザＩ／Ｆ４６等により、ユーザが作像モードの設定を行った場合は肯定されてステップ１０２へ進み、ユーザが設定した作像モードを読取った後、ステップ１０４へ進む。一方、設定されていない場合は否定されて、ステップ１０４へ進む。ステップ１０４では、作像モード単位の設定が有るか否か判断する。本実施の形態では、作像モード単位の設定が無い場合は、印刷ジョブ（全頁）に対して同一の作像モードで画像を形成する。設定が無い場合は否定されてステップ１０６へ進む。ステップ１０６では、作像モード決定部３８が画像データに基づき作像モードを決定した後、ステップ１１２へ進む。本実施の形態では、記憶部４２に記憶されている対応関係または、ステップ１０２で読取ったユーザ設定に基づいて画像データに対応する作像モードに決定する。
【００５１】
作像モードを決定する方法は、例えば、画像形成装置１０においてＬＤ２０よりも上流側（画像形成時に用紙が搬送される方向における上流側）に配置されたビデオＡＳＩＣ（図示省略）等から信号を受信し、受信した信号に基づいて形成される画像（全頁分）が、グラフィックなのか文字なのかにより決定したり、画像データのデータ形式により決定したりすればよい。また、グラフィックと文字とが混在している場合は、例えば、より多く画像が形成される方の作像モードとしてもよいし、いずれかを優先させるように予め定めておいてもよい。
【００５２】
一方、ユーザＩ／Ｆ４６等により、ユーザが作像モード単位の設定を行った場合や、予め単位が設定されている場合は肯定されてステップ１０８へ進み、設定された作像モード単位分の画像データを取得する。本実施の形態では、作像モード単位が１頁単位である場合は１頁分の画像データを、作像モード単位が１頁に含まれる画像単位である場合は１画像分（例えば、１つの地図画像）の画像データを取得する。作像モード単位が１頁に含まれる画像単位である場合の具体的一例を図７に示す。図７の場合では、地図画像（ｃ×ｄ）及び残りの文字部分全体のそれぞれが１つの単位である。
【００５３】
次のステップ１１０では、作像モード決定部３８が取得した画像データに基づき、作像モードを決定した後、ステップ１１２へ進む。なお、作像モードを決定する方法は、上述のステップ１０６の場合と同様にすればよい。また、作像モード単位が１頁単位である場合に１頁中にグラフィックと文字とが混在している場合も上述と同様に、例えば、より多く画像が形成される方の作像モードとしてもよいし、いずれかを優先させるように予め定めておいてもよい。本実施の形態では、記憶部４２に記憶されている対応関係または、ステップ１０２で読取ったユーザ設定に基づいて画像データに対応する作像モードに決定する。
【００５４】
ステップ１１２では、決定された作像モードが何れであるか判断する。作像モードが全く設定されていない等、オフセット調整を行わない場合はステップ１２２へ進む。これにより、オフセット調整が行われない駆動電圧によりＬＤ２０が駆動（発光）され、画像が形成される。
【００５５】
一方、作像モードが文字モードである場合は、ステップ１１４へ進み、オフセット量出力部が、文字モードに対応するオフセット量を記憶部４２から取得し、次のステップ１１６では、取得したオフセット量を駆動部４８の補正回路５０に出力する。また、作像モードが高精細モードである場合は、ステップ１１８へ進み、オフセット量出力部が、高精細モードに対応するオフセット量を記憶部４２から取得し、次のステップ１２０では、取得したオフセット量を駆動部４８の補正回路５０に出力する。ステップ１１６及びステップ１２０の処理により、出力されたオフセット量で補正された駆動電圧によりＬＤ２０が駆動（発光）され、画像が形成される。
【００５６】
なお、本実施の形態では、オフセット量出力部４０は、画像データに基づいて発光素子毎にオフセット量を出力する。例えば、ＬＤ２０１がグラフィックを形成し、ＬＤ２０２〜ＬＤ２０ｎが文字を形成する場合は、ＬＤ２０１に対応する補正回路５０１には高精細モードのオフセット量を出力し、ＬＤ２０２〜ＬＤ２０ｎに対応する補正回路５０２〜補正回路５０ｎには文字モードのオフセット量を出力する。
【００５７】
次のステップ１２２では、本処理を終了するか否か判断する。例えば、作像単位が１頁毎、または１頁に含まれる画像毎の場合は否定されて、ステップ１０８へ戻り、次の単位（例えば次頁）の画像データを取得し、本処理を繰り返す。一方、画像形成を指示された全ての画像データの画像形成が終了した場合（印刷が終了した場合）や印刷ジョブ（全頁）に対して同一の作像モードで画像を形成する場合等は肯定されて、本処理を終了する。
【００５８】
なお、本実施の形態では、一例としてレーザ光源２０が、面発光レーザであり、複数のＬＤ２０を含む場合について説明したがこれに限らない。また、発光素子は複数なくてもよい。また、レーザ光源２０は、面発光レーザに限らず、青色レーザであってもよい。
【００５９】
また、本実施の形態では、作像モードは高精細モード及び文字モードであるがこれに限らず、その他のモードを設けるようにしてもよく、その場合、当該モードに対応するオフセット量、画像データとの対応関係を予め定めておき、記憶部４２に記憶させておけばよい。
【００６０】
このように本実施の形態では、設定された作像モード単位毎に、作像モード決定部３８が画像データに基づいて作像モードを決定し、オフセット量出力部４０が決定された作像モードに対応するオフセット量を記憶部４２から取得し、ＬＤ２０の駆動電圧を補正する補正回路５０に出力する。補正回路５０では、トランジスタ６２のゲートに印加されたオフセット電圧に応じた電流Ｉｃｉｎがドレインから出力され、抵抗６４で電流電圧変換された電圧値により駆動電圧が補正される。従って、画像データに基づいて形成される画像の作像モードに応じた補正量でＬＤ２０１〜２０ｎ各々の駆動電圧が補正される。
【００６１】
また、本実施の形態では、オフセット量出力部４０は、複数のＬＤ２０各々の補正回路５０に対し、作像モードに対応するオフセット量を出力することにより、同時タイミングで発光するＬＤ２０同士であっても作像モードが異なる場合、異なるオフセット量で駆動電圧（発光量）が制御される。従って、画像のエッジ部が綺麗に形成される。
【図面の簡単な説明】
【００６２】
【図１】本発明の実施の形態に係る画像形成装置のレーザ駆動装置及び光走査装置に関する概略構成の一例を示す概略構成図である。
【図２】本発明の実施の形態に係るレーザ駆動装置の概略構成の一例を示す機能ブロック図である。
【図３】本発明の実施の形態に係る駆動部の概略構成の一例を示す回路図である。
【図４】本発明の実施の形態に係るオフセット調整無の場合、オフセット調整有の場合、及び理想的な場合のパルス幅−積分光量特性（Ｃｉｎ特性）を説明するための説明図である。
【図５】本発明の実施の形態に係る駆動電流波形の具体的一例を説明するための説明図である。
【図６】本発明の実施の形態に係るレーザ駆動装置で実行されるレーザ駆動制御処理の一例を示すフローチャートである。
【図７】本発明の実施の形態に係る作像モード単位が１頁に含まれる画像単位である場合の具体的一例を説明するための説明図である。
【符号の説明】
【００６３】
１０  画像形成装置
１２  レーザ駆動装置
２０  ＬＤ（レーザダイオード）
３０  作像モード決定部
３２  作像モード選択部
３４  記憶部
３６  ＣＰＵ
４０  制御プログラム
４６  ユーザＩ／Ｆ
４８  駆動部
５０  補正回路
５２  電圧源
【図１】
2010125644.tif 000003
【図２】
2010125644.tif 000004
【図３】
2010125644.tif 000005
【図４】
2010125644.tif 000006
【図５】
2010125644.tif 000007
【図６】
2010125644.tif 000008
【図７】
2010125644.tif 000009